(57)【要約】【課題】蛍光ランプの妨害光が受光素子に入射しにくく、かつ、グローブに写る影を防止できる照明器具を提供する。【解決手段】赤外線リモコン信号１を受ける受光素子２を含む回路素子を搭載した回路基板３を下面に設けた本体４と、受光素子２を臨ませた窓孔５が形成されるとともに回路基板３の下面を覆う下面カバー６と、下面カバー６の下面に配置される環状の蛍光ランプ７と、蛍光ランプ７の下面を覆うグローブ８とを備えた照明器具である。そして、受光素子２は回路基板３において蛍光ランプ７よりも内側に配置されるとともに、下面カバー６は窓孔５の付近において本体４側に近接して形成されることにより蛍光ランプ７と窓孔５との間の段差壁９が蛍光ランプ７の光１０を窓孔５に到達しにくくしている。さらには、下面カバー６の本体４より離隔した部分に対応して回路基板３にインバータ回路素子１１を搭載している。【選択図】  図１
2004355875.tif 000002
【特許請求の範囲】
【請求項１】
赤外線リモコン信号を受ける受光素子を含む回路素子を搭載した回路基板を下面に設けた本体（裏板）と、受光素子を臨ませた窓孔が形成されるとともに回路基板の下面を覆う下面カバーと、下面カバーの下面に配置される環状の蛍光ランプと、蛍光ランプの下面を覆うグローブとを備え、受光素子は回路基板において蛍光ランプよりも内側に配置されるとともに、下面カバーは窓孔の付近において本体側に近接して形成されることにより蛍光ランプと窓孔との間の段差壁が蛍光ランプの光を窓孔に到達しにくくしたことを特徴とする照明器具。
【請求項２】
請求項１において、下面カバーの本体より離隔した部分に対応して回路基板に蛍光ランプ点灯用のインバータ回路素子群を搭載したことを特徴とする照明器具。
【請求項３】
本体と、この本体の下面に設けられ赤外線リモコン信号を受ける受光素子を含む回路素子を搭載した回路基板を内蔵したケースと、受光素子を臨ませるように前記ケースの下面に形成された窓孔と、前記本体及びケースの下面に配置される環状の蛍光ランプと、蛍光ランプの下面を覆うグローブとを備え、受光素子は回路基板において蛍光ランプよりも内側に配置されるとともに、ケースの下面は窓孔の付近において本体側に近接して形成されることにより蛍光ランプと窓孔との間の段差壁が蛍光ランプの光を窓孔に到達しにくくしたことを特徴とする照明器具。
【請求項４】
請求項３において、ケース下面の本体より離隔した部分に対応して回路基板に蛍光ランプ点灯用のインバータ回路素子群を搭載したことを特徴とする照明器具。
【発明の詳細な説明】
【０００１】
【発明の属する技術分野】
本発明は、赤外線リモコン信号により点灯制御される蛍光ランプを備えた照明器具に関する。
【０００２】
【従来の技術】
この種の照明器具では、赤外線リモコン信号を受ける受光素子を搭載した回路基板は、蛍光ランプ点灯用のインバータ回路素子群を搭載した回路基板とは独立して設けていた。その理由は、蛍光ランプから放射される赤外線から妨害されにくい箇所に前者回路基板を配置する必要があったためである。具体的には、受光素子を臨ませた窓孔が形成されるとともに前者回路基板を収めた小型のケースを、蛍光ランプと同等の高さ付近にすなわち、インバータ回路素子群を搭載した回路基板よりは下方に配置して、蛍光ランプからの妨害光が前記窓孔に入射しにくくしていた。
【０００３】
【発明が解決しようとする課題】
しかし、小型とはいえ前記ケースの影がグローブに投影されやすいという解決すべき課題があることに着目されるべきである。本発明はこのような解決すべき課題を鑑み、蛍光ランプの妨害光が受光素子に入射しにくく、かつ、グローブに写る影を防止できる照明器具を提供することを目的とする。
【０００４】
【課題を解決するための手段】
本発明を要約すると、赤外線リモコン信号を受ける受光素子を含む回路素子を搭載した回路基板を下面に設けた本体（裏板）と、受光素子を臨ませた窓孔が形成されるとともに回路基板の下面を覆う下面カバーと、下面カバーの下面に配置される環状の蛍光ランプと、蛍光ランプの下面を覆うグローブとを備え、受光素子は回路基板において蛍光ランプよりも内側に配置されるとともに、下面カバーは窓孔の付近において本体側に近接して形成されることにより蛍光ランプと窓孔との間の段差壁が蛍光ランプの光を窓孔に到達しにくくしたことを特徴とする照明器具である。さらには、下面カバーの本体より離隔した部分に対応して回路基板に蛍光ランプ点灯用のインバータ回路素子群を搭載したことを特徴とするものである。また、別の発明として、本体と、この本体の下面に設けられ赤外線リモコン信号を受ける受光素子を含む回路素子を搭載した回路基板を内蔵したケースと、受光素子を臨ませるように前記ケースの下面に形成された窓孔と、前記本体及びケースの下面に配置される環状の蛍光ランプと、蛍光ランプの下面を覆うグローブとを備え、受光素子は回路基板において蛍光ランプよりも内側に配置されるとともに、ケースの下面は窓孔の付近において本体側に近接して形成されることにより蛍光ランプと窓孔との間の段差壁が蛍光ランプの光を窓孔に到達しにくくしたことを特徴とする照明器具がある。さらには、ケース下面の本体より離隔した部分に対応して回路基板に蛍光ランプ点灯用のインバータ回路素子群を搭載したことを特徴とするものである。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図１・図２の実施形態は、赤外線リモコン信号（図外の送信器から送信される）１を受ける受光素子２を含む回路素子を搭載した回路基板３を下面に設けた本体（裏板）４と、受光素子２を臨ませた窓孔５が形成されるとともに回路基板３の下面を覆う下面カバー（反射板）６と、下面カバー６の下面に配置される環状の蛍光ランプ７と、蛍光ランプ７の下面を覆うグローブ８とを備えた照明器具である。
【０００７】
そして、受光素子２は回路基板３において蛍光ランプ７よりも内側に配置されるとともに、下面カバー６は窓孔５の付近において本体４側に近接して形成されることにより蛍光ランプ７と窓孔５との間の段差壁９が蛍光ランプ７の光１０を窓孔５に到達しにくくしたことを特徴としている。さらには、下面カバー６の本体４より離隔した部分に対応して回路基板３にインバータ回路素子群（蛍光ランプ７を点灯するための点灯回路素子群）１１を搭載したことを特徴としている。
【０００８】
さらに詳述すれば、本体４の中心には天井取付用の孔１２を設けている。また、蛍光ランプ７は二重環状のものを例示したが、一重のものでもよい。なお、窓孔５は短筒状として受光素子２の受光角を狭くしており、これは、グローブ８の内面で反射してから入射する蛍光ランプ７の妨害光を減少している。
【０００９】
本実施形態によれば、従来とは逆に、受光素子２の位置を蛍光ランプ７より上方に配置することで受光素子２を覆うカバー部分（下面カバー６の一部）の影がグローブ８に投影されることがなくなる上、窓孔５に対して蛍光ランプ７からの妨害光が入射しにくいように段差壁９を下面カバー６に形成しているため、赤外線リモコン信号による制御を向上にできるものとなる。また、単一の回路基板３に受光素子２とインバータ回路素子群１１を搭載できたため、合理化され、さらに、下面カバー６の本体４より離隔した部分に対応して回路基板３にインバータ回路素子群１１を搭載できたため、比較的背の高いものが多いインバータ回路素子群（例えば、電解コンデンサやチョークコイルなど）１１を良好に搭載できる。
【００１０】
次に、図３の実施形態は、本体４と、この本体４の下面に設けられ赤外線リモコン信号１を受ける受光素子２を含む回路素子を搭載した回路基板３を内蔵したケース２１と、受光素子２を臨ませるように前記ケース２１の下面に形成された窓孔５と、前記本体４及びケース２１の下面に配置される環状の蛍光ランプ７と、蛍光ランプ７の下面を覆うグローブ８とを備えた照明器具である。
【００１１】
そして、受光素子２は回路基板３において蛍光ランプ７よりも内側に配置されるとともに、ケース２１の下面は窓孔５の付近において本体４側に近接して形成されることにより蛍光ランプ７と窓孔５との間の段差壁９が蛍光ランプ７の光１０を窓孔５に到達しにくくしたことを特徴としている。さらには、ケース２１下面の本体４より離隔した部分に対応して回路基板３に蛍光ランプ７点灯用のインバータ回路素子群１１を搭載したことを特徴としている。この実施形態では、ケース２１が回路素子群を含む回路基板３を収める程度の容積があればよく、例えば段差のある略直方体形状のものを採用でき、前記実施形態の下面カバー６のようなドーナツ状のものである必要はない。
【００１２】
本実施形態によれば、従来とは逆に、受光素子２の位置を蛍光ランプ７より上方に配置することで受光素子２を覆う部分のケース２１の影がグローブ８に投影されることがなくなる上、窓孔５に対して蛍光ランプ７からの妨害光が入射しにくいように段差壁９をケース２１に形成しているため、赤外線リモコン信号１による制御を向上にできるものとなる。また、単一の回路基板３に受光素子２とインバータ回路素子群１１を搭載できたため、合理化され、さらに、ケース２１の本体４より離隔した部分に対応して回路基板３にインバータ回路素子群１１を搭載できたため、比較的背の高いものが多いインバータ回路素子群（例えば、電解コンデンサやチョークコイルなど）１１を良好に搭載できる。
【図面の簡単な説明】
【図１】本発明の実施形態を示す半断面図
【図２】同グローブを外した状態の下面図
【図３】本発明の他の実施形態を示す半断面図
【符号の説明】
１  赤外線リモコン信号
２  受光素子
３  回路基板
４  本体
５  窓孔
６  下面カバー
７  蛍光ランプ
８  グローブ
９  段差壁
１０  光
１１  インバータ回路素子群
２１  ケース
【図１】
2004355875.tif 000003
【図２】
2004355875.tif 000004
【図３】
2004355875.tif 000005